(57)【要約】【課題】ヒンジの内側にケーブルを挿通可能であり、かつヒンジの強度を高めた電子機器を提供する。【解決手段】電子機器は、ディスプレイと、軸部４ａ回りに筐体４０に対して回動可能に設けられたカメラユニット４と、を備える。カメラユニットは、カメラケース１０と、背面カバー２０と、ヒンジカバー３０と、を有する。軸部４ａは、カメラケース１０に形成された第１半筒部１４と、背面カバー２０に形成された第２半筒部２４とにより構成されている。筐体４０には、軸部４ａを回動可能に保持するＣ字状の軸受け部４２が形成されている。ヒンジカバー３０には、軸受け部４２を外側から押さえる一対の押さえ部３５、３６が形成されている。【選択図】図９
2020091365.tif 000002
【特許請求の範囲】
【請求項１】
表示部および筐体を有するディスプレイと、
円筒状の軸部を有し、前記軸部回りに前記筐体に対して回動可能に設けられたカメラユニットと、を備え、
前記カメラユニットは、カメラモジュールを収容するカメラケースと、前記カメラケースの後方を覆う背面カバーと、ヒンジカバーと、を有し、
前記軸部は、前記カメラケースに形成された第１半筒部と、前記背面カバーに形成された第２半筒部とにより構成され、
前記筐体には、前記軸部を回動可能に保持するＣ字状の軸受け部が形成され、
前記ヒンジカバーには、前記軸受け部の開口部を外側から押さえる一対の押さえ部が形成されている、電子機器。
【請求項２】
前記ヒンジカバーには、前記開口部の間に位置する突起が形成されている、請求項１に記載の電子機器。
【請求項３】
前記カメラユニットは、前記軸部および前記軸受け部によって構成された第１ヒンジと、相対回転可能な第１部材および第２部材によって構成された第２ヒンジとによって、前記筐体に連結されている、請求項１または２に記載の電子機器。
【請求項４】
前記第１部材は前記カメラユニットに固定され、前記第２部材は前記筐体に固定されている、請求項３に記載の電子機器。
【請求項５】
前記表示部、前記筐体、および前記ヒンジカバーが、１つの締結部材によって共締めされている、請求項１から４のいずれか１項に記載の電子機器。
【発明の詳細な説明】
【技術分野】
【０００１】
本発明は、電子機器に関する。
【背景技術】
【０００２】
従来から、下記特許文献１に示されるような電子機器が知られている。この電子機器は、ディスプレイと、ディスプレイに対して回動可能に設けられたカメラユニットと、を備えている。
【先行技術文献】
【特許文献】
【０００３】
【特許文献１】特開２０１６−１４４１９５号公報
【発明の概要】
【発明が解決しようとする課題】
【０００４】
カメラユニットとディスプレイとを接続するケーブルは、カメラユニットのヒンジ内に挿通される場合がある。ここで、内部にケーブルを挿通できるようにヒンジを構成すると、ヒンジの強度が低下する場合があった。
【０００５】
本発明はこのような事情を考慮してなされ、ヒンジの内側にケーブルを挿通可能であり、かつヒンジの強度を高めた電子機器を提供することを目的とする。
【課題を解決するための手段】
【０００６】
上記課題を解決するために、本発明の一態様に係る電子機器は、表示部および筐体を有するディスプレイと、円筒状の軸部を有し、前記軸部回りに前記筐体に対して回動可能に設けられたカメラユニットと、を備え、前記カメラユニットは、カメラモジュールを収容するカメラケースと、前記カメラケースの後方を覆う背面カバーと、ヒンジカバーと、を有し、前記軸部は、前記カメラケースに形成された第１半筒部と、前記背面カバーに形成された第２半筒部とにより構成され、前記筐体には、前記軸部を回動可能に保持するＣ字状の軸受け部が形成され、前記ヒンジカバーには、前記軸受け部の開口部を外側から押さえる一対の押さえ部が形成されている。
【発明の効果】
【０００７】
本発明の上記態様によれば、ヒンジの内側にケーブルを挿通可能であり、かつヒンジの強度を高めた電子機器を提供することができる。
【図面の簡単な説明】
【０００８】
【図１Ａ】本実施形態に係る電子機器の側面図である。
【図１Ｂ】図１Ａのカメラユニットを上方に回動させた図である。
【図２】図１Ｂの電子機器を後方から見た斜視図である。
【図３】図２の拡大図である。
【図４】図３の状態から背面カバーを取り除いた斜視図である。
【図５】図４のカメラケースの拡大図である。
【図６】図３の背面カバーの拡大図である。
【図７】図３のヒンジカバーの単品斜視図である。
【図８】図４の筐体の拡大図である。
【図９】図３のＩＸ−ＩＸ断面矢視図である。
【図１０】図３のＸ−Ｘ断面矢視図である。
【発明を実施するための形態】
【０００９】
以下、本実施形態の電子機器について図面に基づいて説明する。
図１Ａ、図１Ｂに示すように、電子機器１は、ディスプレイ２と、本体部３と、カメラユニット４とを備えている。ディスプレイ２は、本体部３に対して、本体ヒンジＨ回りに回動可能に連結されている。
【００１０】
（方向定義）
本実施形態ではＸＹＺ直交座標系を設定して各構成の位置関係を説明する。Ｘ軸方向を左右方向といい、Ｙ軸方向を前後方向といい、Ｚ軸方向を上下方向という。また、＋Ｘ側を右方、−Ｘ側を左方、＋Ｙ側を後方、−Ｙ側を前方、＋Ｚ側を上方、−Ｚ側を下方という。
カメラユニット４は、図１Ａに示すようにディスプレイ２の後方に隠れた姿勢と、図１Ｂに示すようにディスプレイ２から上方に突出した姿勢と、の間で変位可能となっている。以下の説明では、特に言及が無い限り、図１Ｂの状態における各部の構成について説明する。
【００１１】
ディスプレイ２は、表示部２ａと、ベゼル２ｂと、筐体４０と、を有している。表示部２ａは、その前面に画像が表示されるように構成されている。表示部２ａとしては、液晶ディスプレイ（ＬＣＤ）、有機ＥＬなどを用いることができる。ベゼル２ｂは、長方形の枠状に形成されており、表示部２ａの周囲を囲っている。筐体４０は、ベゼル２ｂおよび表示部２ａを支持している。筐体４０は、本体ヒンジＨによって、本体部３に連結されている。図２に示すように、後方から見たとき、ベゼル２ｂの内側は筐体４０によって閉塞されている。
【００１２】
図２に示すように、カメラユニット４は、筐体４０の上端部の左右方向における中央部に取り付けられている。図３に示すように、カメラユニット４は、第１ヒンジｈ１および第２ヒンジｈ２によって、ディスプレイ２に対して回動可能に連結されている。第１ヒンジｈ１および第２ヒンジｈ２は、左右方向に間隔を空けて配置されている。第２ヒンジｈ２は、第１ヒンジｈ１よりも右方に位置している。
【００１３】
カメラユニット４は、カメラケース１０と、背面カバー２０と、ヒンジカバー３０と、を有している。図４に示すように、カメラケース１０の内部には、カメラモジュール４ｂと、ワイヤーハーネス４ｃと、が収容されている。カメラモジュール４ｂには撮像素子などが含まれている。カメラモジュール４ｂは、カメラユニット４が図１Ｂの姿勢にあるときに前方を撮影可能に構成されている。ワイヤーハーネス４ｃは、カメラモジュール４ｂとディスプレイ２内または本体部３内の制御部とを接続している。図４に示すように、ワイヤーハーネス４ｃは、筐体４０に形成された開口４１ａを通じて、ディスプレイ２の内部に導入されている。また、カメラケース１０内には、ワイヤーハーネス４ｃをカメラモジュール４ｂから開口４１ａに向けて導く複数のガイドリブが形成されている。
【００１４】
図４、図５に示すように、カメラケース１０は、前壁部１１と、第１下壁部１２と、第１内壁部１３と、第１半筒部１４と、を有している。前壁部１１は、左右方向および上下方向に延びる板状に形成されている。前壁部１１は、上下方向よりも左右方向に長い長方形状に形成されている。前壁部１１の下端縁には、上方に向けて窪む第１凹部１１ａが形成されている。第１凹部１１ａは、前壁部１１の左右方向における中央部に設けられている。前後方向からみて、第１凹部１１ａは略長方形状に形成されている。
【００１５】
第１下壁部１２は、前壁部１１の下端縁から後方に向けて延びている。第１下壁部１２は、前後方向および左右方向に延びる板状に形成されている。第１内壁部１３は、第１凹部１１ａの左端縁から後方に向けて延びている。第１内壁部１３は、上下方向および前後方向に延びる板状に形成されている。第１内壁部１３の下端部は、第１下壁部１２の右端部に連なっている。第１半筒部１４は、第１内壁部１３から右方に向けて突出している。第１半筒部１４は、左右方向に延びる半筒状に形成されている。第１半筒部１４の内側は、カメラユニット４からディスプレイ２へと向かうワイヤーハーネス４ｃの経路となる。
【００１６】
図３に示すように、背面カバー２０は、カメラケース１０を後方から覆っている。図６に示すように、背面カバー２０は、後壁部２１と、第２下壁部２２と、第２内壁部２３と、第２半筒部２４と、を有している。後壁部２１は、左右方向および上下方向に延びる板状に形成されている。後壁部２１は、上下方向よりも左右方向に長い長方形状に形成されており、カメラケース１０の前壁部１１と前後方向で対向している。後壁部２１と前壁部１１との間の空間に、カメラモジュール４ｂおよびワイヤーハーネス４ｃが位置している。後壁部２１の下端縁には、上方に向けて窪む第２凹部２１ａが形成されている。第２凹部２１ａは、後壁部２１の左右方向における中央部に設けられている。前後方向から見て、第２凹部２１ａは略長方形状に形成されている。後壁部２１の第２凹部２１ａと、前壁部１１の第１凹部１１ａとは、略同じ形状となっている。
【００１７】
第２下壁部２２は、後壁部２１の下端縁から前方に向けて延びている。第２下壁部２２は、前後方向および左右方向に延びる板状に形成されている。背面カバー２０がカメラケース１０に取り付けられたとき、第２下壁部２２の下面と第１下壁部１２の下面とが面一となる。第２内壁部２３は、第２凹部２１ａの左端縁から前方に向けて延びている。第２内壁部２３は、上下方向および前後方向に延びる板状に形成されている。第２内壁部２３の下端部は、第２下壁部２２の右端部に連なっている。背面カバー２０がカメラケース１０に取り付けられたとき、第２内壁部２３の右端面と第１内壁部１３の右端面とが面一となる。
【００１８】
第２半筒部２４は、第２内壁部２３から右方に向けて突出している。第２半筒部２４は、左右方向に延びる半筒状に形成されている。第２半筒部２４の内側は、カメラユニット４からディスプレイ２へと向かうワイヤーハーネス４ｃの経路となる。第２半筒部２４の内径および外径は、第１半筒部１４の内径および外径と略同じである。このため、第１半筒部１４と第２半筒部２４とが合わされることで、１つの円筒状の軸部４ａが構成される（図９参照）。
【００１９】
ヒンジカバー３０は、第１凹部１１ａおよび第２凹部２１ａによって設けられた空間内に配置されている（図３参照）。カメラケース１０および背面カバー２０はディスプレイ２に対して回動可能であるのに対し、ヒンジカバー３０はディスプレイ２に固定されている。ヒンジカバー３０は、第１ヒンジｈ１および第２ヒンジｈ２を後方から覆っている。
図７に示すように、ヒンジカバー３０は、主板部３１と、上板部３２と、下板部３３と、リブ３４と、を有している。
【００２０】
主板部３１は、左右方向および上下方向に延びる板状に形成されている。主板部３１は、前後方向からみて、上下方向よりも左右方向に長い長方形状に形成されている。主板部３１には、この主板部３１を前後方向に貫通する貫通孔３１ａが形成されている。貫通孔３１ａの前方の開口縁には、前方に向けて突出する筒状のボス３１ｂが形成されている。貫通孔３１ａの後方の開口縁は、前方に向けて窪んでおり、この窪みに締結部材Ｂ１のネジ頭が収容されている（図１０参照）。
【００２１】
図７に示すように、上板部３２は主板部３１の上端縁から前方に向けて延びており、下板部３３は主板部３１の下端縁から前方に向けて延びている。上板部３２および下板部３３は、左右方向および前後方向に延びる板状に形成されている。上板部３２と下板部３３との間の空間に、図４に示す第２ヒンジｈ２の一部および筐体４０のボス４３が位置している。図７に示すように、上板部３２および下板部３３にはそれぞれ、前方に向けて突出する複数の係止片３８および複数の位置決め突起３９が形成されている。
【００２２】
係止片３８の前端部には、上方または下方に向けて突出する係止部が形成されている。係止片３８は、筐体４０の係止孔４１ｂ内に挿入され、位置決め突起３９は筐体４０の位置決め孔４１ｃ内に挿入される（図４参照）。
図７に示すように、リブ３４は、上下方向および前後方向に延びる板状に形成されており、上板部３２と下板部３３とを接続している。リブ３４は、ヒンジカバー３０の左右方向における中央部に配置されている。リブ３４により、ヒンジカバー３０の剛性が高められている。
【００２３】
そして本実施形態では、ヒンジカバー３０に、一対の押さえ部３５、３６と、突起３７とが形成されている。押さえ部３５、３６、および突起３７は、ヒンジカバー３０の左端部に設けられている。押さえ部３５（上側押さえ部）は主板部３１の上端縁から前方に向けて突出しており、押さえ部３６（下側押さえ部）は主板部３１の下端縁から前方に向けて突出している。押さえ部３５は上板部３２に連なっており、押さえ部３６は下板部３３に連なっている。突起３７は、主板部３１の上下方向にける中央部に設けられており、押さえ部３５と押さえ部３６との間に位置している。
【００２４】
図４、図８に示すように、筐体４０は、背板部４１と、軸受け部４２と、ボス４３と、を有している、背板部４１は、上下方向および左右方向に延びる板状に形成されている。背板部４１には、背板部４１を前後方向に貫通する開口４１ａと、複数の係止孔４１ｂと、複数の位置決め孔４１ｃと、が形成されている。係止孔４１ｂは係止片３８に対応する位置に設けられ、位置決め孔４１ｃは位置決め突起３９に対応する位置に設けられている。開口４１ａは、軸受け部４２の近傍に設けられている。
【００２５】
図８に示すように、軸受け部４２はＣ字状に形成されており、後方に向けて開口する開口部４２ｃを有している。また、軸受け部４２には、軸受け部４２の後端面から前方に向けて窪む上側凹部４２ａおよび下側凹部４２ｂが形成されている。上側凹部４２ａは軸受け部４２の上端部に形成され、下側凹部４２ｂは軸受け部４２の下端部に形成されている。
【００２６】
図４に示すように、ボス４３は、背板部４１から後方に向けて突出する円柱状に形成されている。ボス４３は、第１ヒンジｈ１と第２ヒンジｈ２との間に位置している。
第１ヒンジｈ１は軸部４ａおよび軸受け４２によって構成され、第２ヒンジｈ２は、第１部材５０および第２部材６０によって構成されている。第１部材５０と第２部材６０とは、相対回転可能な状態で互いに連結されている。第１部材５０、第２部材６０は、金属によって形成されている。第２ヒンジｈ２としては、例えばトルクヒンジが好適である。第１部材５０はネジによって筐体４０に固定され、第２部材６０はネジによってカメラケース１０に固定されている。なお、ネジ以外の手段によって、第１部材５０、第２部材６０を筐体４０、カメラケース１０に固定してもよい。
【００２７】
図９に示すように、第１半筒部１４および第２半筒部２４によって、左右方向に延びる円筒状の軸部４ａが構成されている。軸部４ａは、軸受け部４２によって回動可能に支持される。電子機器１の製造時において、カメラユニット４をディスプレイ２に取り付ける際には、軸部４ａを通してワイヤーハーネス４ｃがカメラユニット４の内側から外側へと延びた状態となる。この状態で軸部４ａを軸受け部４２内に挿入するためには、先にワイヤーハーネス４ｃを軸受け部４２内に位置させておくことになる。ここで、仮に軸受け部４２が開口部４２ｃを有していない場合には、ワイヤーハーネス４ｃを軸受け部４２内に位置させる作業がしにくくなる。また、例えばワイヤーハーネス４ｃの先端に、軸受け部４２の内径よりも大きな外形を有するコネクタが設けられている場合には、当該コネクタを軸受け部４２内に挿通させることができず、作業がより難しくなる。
【００２８】
このような事情を鑑みて、本実施形態では、軸受け部４２がＣ字状に形成されている。このため、開口部４２ｃを通じてワイヤーハーネス４ｃを軸受け部４２内に容易に位置させることが可能となり、作業性が良好となって電子機器１の製造効率を向上させることが可能となる。
【００２９】
しかしながら、軸受け部４２をＣ字状に形成した場合には、軸受け部４２の強度が比較的小さくなる。特に本実施形態のように、カメラユニット４がディスプレイ２の後方に突出した配置となっていると、カメラユニット４に不意に外力が作用しやすくなる。カメラユニット４に外力が作用すると、当該外力は軸受け部４２に伝わり、軸受け部４２の変形が生じる場合がある。
【００３０】
そこで本実施形態では、このような外力による軸受け部４２の変形を抑制するため、図９に示すように、一対の押さえ部３５、３６によって軸受け部４２の開口部４２ｃを外側から押さえている。これにより、開口部４２ｃ周辺の強度を高め、軸受け部４２の変形を抑えることができる。
なお、図９では上側凹部４２ａ内に押さえ部３５が入り込み、下側凹部４２ｂ内に押さえ部３６が入り込んでいる。押さえ部３５、３６と軸受け部４２との間には隙間が設けられているが、この隙間は設けられていなくてもよい。つまり、押さえ部３５、３６が軸受け部４２に接していてもよい。
【００３１】
以上説明したように、本実施形態の電子機器１は、表示部２ａおよび筐体４０を有するディスプレイ２と、円筒状の軸部４ａを有し、軸部４ａ回りに筐体４０に対して回動可能に設けられたカメラユニット４と、を備えている。カメラユニット４は、カメラモジュール４ｂを収容するカメラケース１０と、カメラケース１０の後方を覆う背面カバー２０と、ヒンジカバー３０と、を有している。軸部４ａは、カメラケース１０に形成された第１半筒部１４と、背面カバー２０に形成された第２半筒部２４とにより構成されている。筐体４０には、軸部４ａを回動可能に保持するＣ字状の軸受け部４２が形成されている。
【００３２】
このように、軸受け部４２がＣ字状であり、開口部４２ｃを有していることで、この開口部４２ｃを通じてワイヤーハーネス４ｃを軸受け部４２内に挿通させることが可能であり、組み立て性が良好となっている。また、ヒンジカバー３０には、軸受け部４２の開口部４２ｃを外側から押さえる一対の押さえ部３５、３６が形成されている。これにより、軸受け部４２の強度が高められており、軸受け部４２に外力が加わったときの変形を抑制することができる。
【００３３】
また、ヒンジカバー３０には、開口部４２ｃの間に位置する突起３７が形成されている。これにより、開口部４２ｃの隙間を狭くするような外力が加わったとき、突起３７が開口部４２ｃによって挟まれる。これにより、当該外力によって開口部４２ｃが変形することを抑制することができる。
【００３４】
また、カメラユニット４は、軸部４ａおよび軸受け部４２によって構成された第１ヒンジｈ１と、相対回転可能な第１部材５０および第２部材６０によって構成された第２ヒンジｈ２とによって、筐体４０に連結されている。このように、左右方向に間隔を空けて設けられた２つのヒンジｈ１、ｈ２を用いることで、カメラユニット４の姿勢をより安定させることができる。
【００３５】
さらに、第１部材５０はカメラユニット４に固定され、第２部材６０は筐体４０に固定されている。これにより、例えば第１部材５０および第２部材６０をトルクヒンジとすることで、カメラユニット４を筐体４０に対して任意の角度で保持することができる。
【００３６】
また、図１０に示すように、表示部２ａ、筐体４０、およびヒンジカバー３０が、１つの締結部材Ｂ１によって共締めされている。この構成により、少ない部品点数でヒンジカバー３０をディスプレイ２に固定することができる。
【００３７】
なお、本発明の技術的範囲は前記実施の形態に限定されず、本発明の趣旨を逸脱しない範囲において種々の変更を加えることが可能である。
【００３８】
例えば、前記実施形態では、ヒンジカバー３０に突起３７が形成されていたが、突起３７を形成せず、押さえ部３５、３６のみによって軸受け部４２の強度を向上させてもよい。
また、前記実施形態では、第２ヒンジｈ２が設けられていたが、これを設けず、第１ヒンジｈ１のみによってカメラユニット４を回動可能としてもよい。あるいは、第２ヒンジｈ２の構成を適宜変更してもよい。
【００３９】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００４０】
１…電子機器  ２…ディスプレイ  ２ａ…表示部  ４…カメラユニット  ４ａ…軸部  ４ｂ…カメラモジュール  １０…カメラケース  １４…第１半筒部  ２０…背面カバー  ２４…第２半筒部  ３０…ヒンジカバー  ３５、３６…押さえ部  ３７…突起  ４０…筐体  ４２…軸受け部  ４２ｃ…開口部  ５０…第１部材  ６０…第２部材  Ｂ１…  締結部材  ｈ１…第１ヒンジ  ｈ２…第２ヒンジ
【図１Ａ】
2020091365.tif 000003
【図１Ｂ】
2020091365.tif 000004
【図２】
2020091365.tif 000005
【図３】
2020091365.tif 000006
【図４】
2020091365.tif 000007
【図５】
2020091365.tif 000008
【図６】
2020091365.tif 000009
【図７】
2020091365.tif 000010
【図８】
2020091365.tif 000011
【図９】
2020091365.tif 000012
【図１０】
2020091365.tif 000013